(57)【要約】【課題】遊技機本体に基板保護ケースを装着した場合に、不正行為者が基板保護ケースを開放するために遊技機本体から基板保護ケースを取り外した場合における、その行為の痕跡を確実に残すことにより、不正行為を発見できるようにすると共に、不正行為を予防する。【解決手段】第１のケース片１０、該第１のケース片に対して開閉自在に構成され且つ閉止時に第１のケース片との間で制御基板を包囲する第２のケース片２０、及び第１のケース片の外側面から遊技機本体へ向けて突出可能な突出部材３２を有した基板保護ケース１と、基板保護ケースをスライドさせて着脱自在に支持するスライド支持部１１０と、第１のケースの外側面を遊技機本体に近接させた状態で基板保護ケースをスライド方向へガイドするスライドガイド機構と、を備え、遊技機本体側には、基板保護ケースのスライド移動経路と干渉する位置に不正取外し確認ボタン１３０が没入可能に突設されている。【選択図】図１
2010104659.tif 000002
【特許請求の範囲】
【請求項１】
遊技機本体に外側面を対面させた第１のケース片、該第１のケース片に対して開閉自在に構成され且つ閉止時に前記第１のケース片との間で前記制御基板を包囲する第２のケース片、及び前記第１のケース片の外側面から前記遊技機本体へ向けて突出可能な突出部材を有した基板保護ケースと、
前記遊技機本体側に設けられて前記基板保護ケースを装着方向と離脱方向へスライドさせることにより該基板保護ケースを着脱自在に支持するスライド支持部と、
前記第１のケースの外側面を前記遊技機本体に近接させた状態で前記基板保護ケースを前記スライド方向へガイドするスライドガイド機構と、を備え、
前記遊技機本体側には、前記基板保護ケースのスライド移動経路と干渉する位置に不正取外し確認ボタンが没入可能に突設されており、
突出状態にある前記不正取外し確認ボタンは、前記基板保護ケースを離脱方向へスライドさせたときに突出状態にある前記突出部材によって押し込まれて没入するボタン片を備えていることを特徴とする基板保護ケースの不正取外し確認装置。
【請求項２】
前記スライド支持部によって前記装着方向と離脱方向へスライド自在に支持された台座を備え、
前記基板保護ケースは前記台座によって支持されており、
前記突出部材は、前記台座を越えて前記遊技機本体側へ突出していることを特徴とする請求項１に記載の基板保護ケースの不正取外し確認装置。
【請求項３】
前記ボタン片の少なくとも一部は、前記基板保護ケース、又は前記台座が前記遊技機本体に装着された状態にあるときに前記基板保護ケース、又は前記台座により隠蔽されない位置に露出していることにより没入の有無を視認できるように構成されていることを特徴とする請求項１、又は２に記載の基板保護ケースの不正取外し確認装置。
【請求項４】
前記ボタン片が没入した場合には、リセットのための操作をしない限り突出状態に復旧できなくなるように構成されていることを特徴とする請求項１、２、又は３に記載の基板保護ケースの不正取外し確認装置。
【請求項５】
前記ボタン片は、前記突出部材により押圧されて没入した後で、該突出部材からの押圧が解消されることにより突出状態に復帰するように構成されていることを特徴とする請求項１、２、又は３に記載の基板保護ケースの不正取外し確認装置。
【請求項６】
前記不正取外し確認ボタンが没入することにより作動する警報装置を備えたことを特徴とする請求項１乃至５の何れか一項に記載の基板保護ケースの不正取外し確認装置。
【請求項７】
前記突出部材は、閉止状態にある前記第１のケース片と前記第２のケース片を貫通して連結するカシメピンであることを特徴とする請求項１乃至５の何れか一項に記載の基板保護ケースの不正取外し確認装置。
【請求項８】
請求項１乃至７の何れか一項に記載の基板保護ケースの不正取外し確認装置を備えたことを特徴とする遊技機。
【発明の詳細な説明】
【技術分野】
【０００１】
本発明は、パチンコ遊技機、スロットマシン等の各種遊技機に装備される制御基板に搭載されたＲＯＭを交換する等の不正行為を効果的に予防することができる基板保護ケースの不正取外し確認装置、及び、遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が更に巧妙化することにより、結合手段を破壊してＲＯＭを交換した後で、形跡が残らないように新たな結合手段を組み付ける可能性がある。
また、制御基板は基板保護ケース内に収容された状態で遊技機に固定されるため、基板保護ケースを開放しない限り制御基板上のＲＯＭを包囲するＲＯＭケース体を取り外す作業に着手することができないが、一旦基板保護ケースを開放しさえすれば、ＲＯＭケースを取り外してＲＯＭを交換することは比較的容易であった。
【特許文献１】特開２００６−１３０３５２公報
【発明の開示】
【発明が解決しようとする課題】
【０００３】
以上のように、従来は、ＲＯＭカバーにより隠蔽されたＲＯＭを搭載した制御基板を収容する基板保護カバーを開放しさえすれば、ＲＯＭカバーを開放、除去してＲＯＭを交換する不正行為は容易であった。基板保護カバーを開放するための前提として、基板保護カバーを遊技機本体から取り外す必要がある場合に、取外しが行われた形跡を残さない不正行為も十分に可能であった。
本発明は上記に鑑みてなされたものであり、開閉自在な２つのケース片から成る基板保護ケース内に制御基板を収容した状態で遊技機本体に該基板保護ケースを装着した場合に、不正行為者が基板保護ケースを開放するために遊技機本体から基板保護ケースを取り外した場合における、その行為の痕跡を確実に残すことにより、不正行為を発見できるようにすると共に、不正行為を予防することができる基板保護ケースの不正取外し確認装置、及び、遊技機を提供することを目的としている。
【課題を解決するための手段】
【０００４】
上記目的を達成するため、請求項１の発明は、遊技機本体に外側面を対面させた第１のケース片、該第１のケース片に対して開閉自在に構成され且つ閉止時に前記第１のケース片との間で前記制御基板を包囲する第２のケース片、及び前記第１のケース片の外側面から前記遊技機本体へ向けて突出可能な突出部材を有した基板保護ケースと、前記遊技機本体側に設けられて前記基板保護ケースを装着方向と離脱方向へスライドさせることにより該基板保護ケースを着脱自在に支持するスライド支持部と、前記第１のケースの外側面を前記遊技機本体に近接させた状態で前記基板保護ケースを前記スライド方向へガイドするスライドガイド機構と、を備え、前記遊技機本体側には、前記基板保護ケースのスライド移動経路と干渉する位置に不正取外し確認ボタンが没入可能に突設されており、突出状態にある前記不正取外し確認ボタンは、前記基板保護ケースを離脱方向へスライドさせたときに突出状態にある前記突出部材によって押し込まれて没入するボタン片を備えていることを特徴とする。
本発明は、遊技機本体に対して基板保護ケースを一定の経路に沿ってスライドさせることにより着脱できるように構成した場合に基板保護ケースが不正に取り外されたことを、管理者が知ることができるように構成したものである。具体的には、遊技機本体側に位置する第１のケース片の外側面から遊技機本体側に向けて突出可能に支持された突出部材と、突出状態にある突出部材の先端部によって押圧されることにより没入するボタン片とを設けておき、正規の装着位置にあった基板保護ケースが離脱方向へスライドした場合にはボタン片を強制的に没入させるようにした。
【０００５】
請求項２の発明は、請求項１において、前記スライド支持部によって前記装着方向と離脱方向へスライド自在に支持された台座を備え、前記基板保護ケースは前記台座によって支持されており、前記突出部材は、前記台座を越えて前記遊技機本体側へ突出していることを特徴とする。
基板保護ケースをスライド支持部によって直接スライド自在に支持してもよいし、台座を介して支持してもよい。
請求項３の発明は、請求項１、又は２において、前記ボタン片の少なくとも一部は、前記基板保護ケース、又は前記台座が前記遊技機本体に装着された状態にあるときに前記基板保護ケース、又は前記台座により隠蔽されない位置に露出していることにより没入の有無を視認できるように構成されていることを特徴とする。
これによれば、基板保護ケースを移動させない状態においても、ボタン片の状態を外観から確認できる。
【０００６】
請求項４の発明は、請求項１、２、又は３において、前記ボタン片が没入した場合には、リセットのための操作をしない限り突出状態に復旧できなくなるように構成されていることを特徴とする。
不正行為者が、没入したボタン片を突出させようとしても、特殊なリセット操作が必要となるため、このような復旧行為は不可能となる。
請求項５の発明は、請求項１、２、又は３において、前記ボタン片は、前記突出部材により押圧されて没入した後で、該突出部材からの押圧が解消されることにより突出状態に復帰するように構成されていることを特徴とする。
突出部材により押圧された没入したボタン片が自動的に突出状態に復帰するため、基板保護ケースを再装着しようとしても突出部材とボタン片とが干渉してできなくなる。
【０００７】
請求項６の発明は、請求項１乃至５の何れか一項において、前記不正取外し確認ボタンが没入することにより作動する警報装置を備えたことを特徴とする。
請求項７の発明は、請求項１乃至５の何れか一項において、前記突出部材は、閉止状態にある前記第１のケース片と前記第２のケース片を貫通して連結するカシメピンであることを特徴とする。
請求項８の発明は、請求項１乃至７の何れか一項に記載の基板保護ケースの不正取外し確認装置を備えたことを特徴とする。
【発明の効果】
【０００８】
以上のように本発明によれば、基板保護ケース内に収容された制御基板上に搭載されたＲＯＭを不正に交換する目的で基板保護ケースを遊技機本体から取り外す行為が行われた痕跡を確実に残すために不正取外し確認ボタンを設け、基板保護ケース、或いは基板保護ケースを支持する台座を遊技機本体から取り外すためにスライドさせた場合に、突出状態にあった不正取外し確認ボタンを没入させるように構成した。
管理者は、確認ボタンが没入していることを目視確認したり、或いは確認ボタンの没入に連動して作動する警報装置からの警報により、不正な取外し行為が行われたことを知ることができる。
また、突出部材により押圧されることにより一旦没入した確認ボタンが押圧が解除されることによって突出状態に復旧するように構成することにより、基板保護ケースの再装着が不可能となり、不正行為が行われた形跡を残すことができる。
【発明を実施するための最良の形態】
【０００９】
以下、本発明を図面に示した実施の形態により詳細に説明する。
図１は本発明の第１の実施形態に係る不正取外し確認装置を備えた基板保護ケースの取付け構造を示す斜視図であり、図２はその分解斜視図であり、図３乃至図５は不正取外し確認装置を作動させる手順を示す斜視図であり、図６（ａ）乃至（ｄ）は不正取外し確認装置を作動させる手順を示す断面図である。
基板保護ケース１は、ＲＯＭを始めとした電子部品を搭載した図示しない制御基板（プリント基板）を内部に収容した状態でパチンコ遊技機等の遊技機の背面（遊技機本体）１００に組み付けられる。
基板保護ケース１は、ＲＯＭを搭載した制御基板（プリント基板）を間に挟んだ状態で内部に収容する透明な樹脂製の２つのケース片（第１のケース片１０、第２のケース片２０）から構成されている。第２のケース片（上ケース片）２０は第１のケース片（下ケース片）１０に対して、長手方向一端縁に設けられたヒンジ部２５によって開閉自在に組み付けられる。２つのケース片１０、２０は、制御基板の両面と夫々対向した状態で組み付けられており、第１のケース片１０は遊技機本体１００に支持されたスライド支持部１１０によって回動自在、且つ着脱方向へスライド自在に支持されている。即ち、第１のケース片１０は、遊技機本体の背面１００ａに外側面１０Ａを対面させた状態で支持されると共に、第２のケース片２０は第１のケース片１０に対して開閉自在に構成され且つ閉止時に第１のケース片との間で制御基板を包囲する。スライド支持部１１０は、第１のケース片１０をスライド自在に支持すると共に、開閉自在に支持するヒンジ部を兼ねる。
【００１０】
ヒンジ部２５と反対側の長手方向端縁近傍には複数のカシメ締結部３０が設けられている。カシメ締結部３０は、第２のケース片２０の表面から第１のケース片１０の外側面１０Ａまで貫通した挿通穴３１と、各挿通穴３１に夫々圧入固定される金属製のカシメピン３２と、カシメピン３２の頭部の上方に形成される挿通穴空所内に配置される樹脂製の充填部材３３と、を備えている。
挿通穴３１は、各ケース片１０、２０に夫々固定された中空筒状の支持部１１、２１から構成されており、各支持部１１、２１を連通させた状態でその内部にカシメピン３２を圧入することにより両ケース片１０、２０は連結される。
このカシメ締結部３０は、図示のように複数個（この例では三個）基板保護ケース１の幅方向に沿って直線的に配列されているが、基板保護ケースを閉じる際には一つの締結部のみが使用される。遊技場に設置された遊技機の制御基板に違法な改変が行われているか否かを検査するために基板保護ケースを開放する場合には、各支持部１１、２１を各ケース片に連結しているリブをペンチ等の治具により切断することによりカシメピンを除去した上で開放する作業が行われる。検査を終了した後に基板保護ケースを再び閉じる場合には未使用状態にある他の締結部を利用した締結が行われる。
【００１１】
また、従来挿通穴３１内にカシメピン（突出部材）３２を打ち込む際には、カシメピン３２の先端が第１のケース片１０の外側面１０Ａから遊技機本体側へ突出しないように打ち込み量を調整していたが、本発明においては意図的にカシメピン３２を第１のケース片１０の外側面１０Ａを貫通して遊技機本体側へ突出させる。
スライド支持部１１０は、遊技機本体背面１００ａに固定されたベース１１１と、ベース１１１から上方に突設された複数個の突起１１２と、各突起１１２から夫々横方向に突設された軸部１１３と、を有している。第１のケース片１０の上縁には各軸部１１３に対して軸方向へスライド自在に係合する中空状の係合部１２が設けられており、図２に示したように各係合部１２の穴を各軸部１１３の端部から挿着することにより第１のケース片１０は各軸部に対して上下方向へ開閉自在に軸支される。このため、基板保護ケース１を軸部１１３に組み付けることにより基板保護ケースは遊技機本体背面１００ａに近接した閉止位置から上方に回動した開放位置まで開閉可能となり、開放状態において制御基板の裏面側を第１のケース片１０を透過して視認することが可能となる。但し、後述するように基板保護ケース１は、図１に示した装着位置にある際には、ガイド部材１２０によって開放方向への回動を規制されている。
このように基板保護ケースはスライド支持部１１０により、回動自在に軸支されると共に、横方向へスライドすることによって着脱自在に支持されている。
【００１２】
また、基板保護ケース１を間に挟んでスライド支持部１１０とは反対側の下側位置に相当する背面１００ａ上にはＬ字状のガイド部材１２０を配置し、基板保護ケース１を離脱させる方向（スライド方向）を一義的に定める。即ち、本例では第１のケース片１０の下縁に沿って被ガイド突起１３を二箇所突設しておき、この被ガイド突起１３に対して各ガイド部材１２０を嵌合させることにより、基板保護ケース１をスライド支持部１１０に対して着脱する際のスライド移動経路を一義的に確定させておく。一方、被ガイド突起１３がガイド部材１２０と係合した状態では軸部１１３を中心として基板保護ケース１を上方に開放することができなくなる。被ガイド突起１３とガイド部材１２０は、スライドガイド機構を構成している。
従って、軸部１１３とガイド部材１２０とによって図１に示した正規の装着位置に設置された基板保護ケース１を不正行為者が取り外して両ケース片を開放した上で制御基板上のＲＯＭを交換する等の不正行為を実施するためには、必ず基板保護ケース１を離脱方向へスライド移動させて完全に離脱させる必要がある。
【００１３】
また、遊技機本体の背面１００ａには、基板保護ケースのスライド移動経路と干渉する位置に不正取外し確認ボタン１３０が没入可能に突設されている。本例に係る不正取外し確認ボタン１３０は、遊技機本体背面１００ａに設けた取付け穴１００ｂの周縁部に螺子止め固定されるベース１３１と、ベース１３１に設けた凹所１３１ａ内に回動自在に軸支されたボタン片１３２と、を有している。図６（ａ）に示すように、ボタン片１３２は突出状態においては基板保護ケース１の離脱方向へ向けて上面の突出量がテーパー状に漸増するように構成されている一方で、図６（ｃ）に示すようにカシメピン等の突出部材によって押し込まれた場合には遊技機本体背面１００ａの前面側から、リセット用の穴１３１ｂから治具１４０を差し込んで復旧作業を行わない限り突出状態に戻らないように構成されている。
即ち、不正取外し確認ボタン１３０が突出状態にある時に、基板保護ケース１を離脱方向へスライドさせることによってカシメピン３２（突出部材）によって押し込まれて没入し、正規の管理者による操作によらない限り、突出状態に復旧できないように構成されている。
なお、没入とは、必ずしもボタン片１３２の全体が背面１００ａに設けた取付け穴１００ｂ内に埋没することを意味せず、目視により退避したことが判別できる程度であればよい。
【００１４】
ボタン片１３２の長さ（基板保護ケースのスライド方向と交差する方向の長さ）は、３個のカシメ締結部３０を全てカバーするように寸法設定されている。このため、どのカシメ締結部３０を利用して両ケース片を締結した場合においても、カシメピン３２の先端部によってボタン片１３２が押圧されることとなる。
以上の構成を備えた不正取外し確認装置を組み立てる際にはまず、不正取外し確認ボタン１３０を構成するボタン片１３２を背面１００ａから突出させた状態とする一方で、図示しない制御基板を間に挟んだ状態で第１のケース片１０上に第２のケース片２０を閉止する（図２）。次いで、閉止状態にある基板保護ケース１を図１に示した装着位置に設置するために、スライド支持部１１０を構成する軸部１１３に係合部１２を嵌合させると共に、各被ガイド突起１３を各ガイド部材１２０に嵌合させて装着方向へスライドさせる。この装着過程では、ボタン片１３２は突出しているが、第１のケース片１０の外側面（遊技機本体との対向面）には突出物が存在しないため、スムーズに装着することができる。
【００１５】
次いで、図２、図３、図６（ｂ）に示すように装着位置にある基板保護ケース１の表面側から一つのカシメ締結部３０に対してカシメピン３２を圧入する。この際、カシメピン３２の先端部を、図６（ｂ）に示したようにボタン片１３２の低部、或いは遊技機本体背面１００ａと対応する部位に位置させることにより、カシメピンがボタン片を没入させることはない。
一方、基板保護ケース１を離脱方向へスライド移動させる過程で、カシメピン先端部がボタン片１３２を没入させるようにその突出長を予め設定する。
次に、装着状態にある基板保護ケース１を離脱させる場合には、図４、図５、図６（ｂ）（ｃ）（ｄ）に示すように、軸部１１３、及びガイド部材１２０に沿って基板保護ケース１を離脱方向へスライド移動させる。この移動過程で、カシメピン先端部が突出状態にあるボタン片１３２を没入させることができる。
【００１６】
一旦没入したボタン片１３２は、遊技機本体背面１００ａの前方側から治具１４０をリセット用の穴１３１ｂ内に差し込んで押し出さない限り突出状態には復旧できないため、不正行為者による復旧行為は困難となっている。
不正行為者が上記の如き手順によって基板保護ケース１をスライド支持部１１０から離脱させて両ケース片を開放し、内部の制御基板上のＲＯＭを交換するなどの不正行為を行った後で、両ケース片を閉止して図１に示した元の位置に再装着した場合には、ボタン片１３２は没入した状態にあるため、遊技機本体背面１００ａと基板保護ケース１との隙間から目視確認によってボタン片１３２が没入していることを確認することができる。
或いは、被ガイド突起１３から各ガイド部材１２０が離脱するまで基板保護ケース１を所定距離スライドさせてから、軸部１１３を中心として開放させることにより、ボタン片１３２を露出させて没入の有無を更に容易に目視確認することが可能となる。
或いは、図７のようにボタン片１３２の一端部を延長して基板保護ケースの一端縁から常時露出させておくことにより、基板保護ケースの表面側から容易にボタン片の没入の有無を目視確認することができる。
【００１７】
また、出没自在なボタン片１３２を図示しない弾性部材によって突出方向へ常時付勢しておくことにより、図６（ｂ）の状態から（ｄ）の状態に移行した段階でボタン片１３２が突出位置に自動的に復帰するようにしてもよい。このように構成した場合には、不正行為者がＲＯＭを交換した後で基板保護ケース１を正規の位置に再装着しようとしてもボタン片１３２とカシメピンとの干渉により再装着が不可能となるため、不正行為が容易に発覚することとなる。この場合、ボタン片１３２を楔状に構成することにより、離脱時には没入することによりカシメピン先端の通過を許容する一方で、装着時には突出状態を維持することによりカシメピン先端の通過を阻止するように構成する。
上記実施形態では、スライド支持部１１０と、スライドガイド機構（被ガイド突起１３、ガイド部材１２０）を、遊技機本体１００に取り付けた構成例を示したが、この遊技機本体１００は遊技盤面を構成するベニヤ板の裏面、或いは遊技盤裏面に取り付けられる他の部材（例えば、盤裏カバー）を含む。
なお、上記実施形態では、不正取外し確認ボタン１３０として出没可能に支持された機械的なボタン構成を例示したが、これに代えて電気的な検出ボタン構造を採用してもよい。
【００１８】
図８及び図９（ａ）乃至（ｄ）は、本発明の第２の実施形態に係る不正取外し確認ボタン１３０の構成及び着脱操作手順を示す図である。なお、第１の実施形態と同一部分には同一符号を付し、重複した説明は省略する。
本実施形態に係る不正取外し確認ボタン１３０は、電気的なスイッチである点が特徴的である。即ち、電気的接点を備えたベース１３５に設けた凹所内にはボタン片１３６が出没自在に支持されており、ボタン片１３６が突出状態にあるときには前記接点がオフとなり、没入状態となった時には接点がオンとなるように構成されている。不正取外し確認ボタン１３０から延びるケーブル１３７は図示しない警報器に接続されており、突出状態にあったボタン片１３６が没入状態に移行した場合には警報器が作動するように構成される。
なお、電気的なスイッチに代えて、光学センサを用いても良い。
【００１９】
本実施形態においても、一旦ボタン片１３６が没入した場合に、特別の操作をしない限り突出状態には復旧しないように構成してもよいし、或いは没入した後で自動的に突出位置に復旧するようにしてもよい。
なお、上記実施形態では、ボタン片を押圧する突出部材としてカシメピンを利用したが、これは一例に過ぎず、第１のケース片１０の外側面から遊技機本体側へ突出する部材であればどのような部材を突出部材として利用してもよい。
更に、上記実施形態では遊技機本体背面１００ａに設けたスライド支持部１１０に対して基板保護ケース１（第１のケース片１０）の係合部１２を直接組み付ける構成としたが、スライド支持部１１０の軸部１１３に対して図示しない台座をスライド自在且つ回動自在に軸支すると共に、この台座に対して基板保護ケース１（第１のケース片１０）を組み付けるようにした構成としてもよい。この場合には、第１のケース片１０の外側面から突出したカシメピン等の突出部材は、台座を越えて遊技機本体背面１００ａ側へ突出することとなる。
【００２０】
以上の構成において、不正行為者が遊技機本体の背面側に位置する基板保護ケースを正規の装着位置から離脱方向へスライドさせることにより不正取外し確認ボタン１３０が没入状態となるが、このボタンを突出状態に復旧させるためには、遊技機本体背面１００ａの前方に位置するリセット用の穴１３１ｂから治具１４０を差し込む必要があるため、正規の管理者以外の者がリセット用の穴１３１ｂにアクセスできない構造を構築することにより復旧を困難化することができる。また、不正行為者が不正取外し確認ボタン１３０を突出状態に復旧させるためには、遊技機本体背面を構成するベニヤ板等の部品全体を取り外して別物と交換する必要があるが、そのためには多大な労力と時間を要するため、交換作業中に不正行為が露呈する確率も高くなる。
【００２１】
特に、基板保護ケースを取り外してから開放してＲＯＭを交換する等の不正行為を遊技場の営業中に行う場合には管理者の隙を突いて短時間で実施する必要があるにも拘わらず、基板保護ケースを取外した際に作動する不正取外し確認ボタン１３０が設けられていることにより、短時間で不正取外し確認ボタン１３０を突出状態に復旧させることが不可能となり、不正行為の形跡が残されることとなり、限られた時間内での不正行為は事実上不可能となる。
基板保護ケースは、スライド支持部によって直接スライド自在に支持してもよいし、台座を介して支持してもよい。
ボタン片の少なくとも一部が、基板保護ケース、又は台座が遊技機本体に装着された状態にあるときに基板保護ケース、又は台座により隠蔽されない位置に露出していて、没入の有無を視認できるように構成されているため、基板保護ケースを移動させない状態においても、ボタン片の状態を外観から確認できる。
【００２２】
また、ボタン片が没入した場合には、リセットのための操作をしない限り突出状態に復旧できなくなるように構成されているので、不正行為者が、没入したボタン片を突出させようとしても、特殊なリセット操作が必要となるため、このような復旧行為は不可能となる。
また、突出部材により押圧された没入したボタン片が自動的に突出状態に復帰するように構成すれば、基板保護ケースを再装着しようとしても突出部材とボタン片とが干渉してできなくなる。
また、不正取外し確認ボタンが没入することにより作動する警報装置を備えることにより、不正行為の有無をより迅速に知ることができる。
突出部材として、閉止状態にある第１のケース片と第２のケース片を貫通して連結するカシメピンを利用することにより、部品点数の増大、構造の複雑化を解消できる。
なお、本発明の基板保護ケース、及び基板保護ケースの支持構造は、パチンコ遊技機、パチスロ、その他の遊技機一般に適用することができる。
【図面の簡単な説明】
【００２３】
【図１】本発明の第１の実施形態に係る不正取外し確認装置を備えた基板保護ケースの取付け構造を示す斜視図である。
【図２】図１の分解斜視図である。
【図３】不正取外し確認装置を作動させる手順を示す斜視図である。
【図４】不正取外し確認装置を作動させる手順を示す斜視図である。
【図５】不正取外し確認装置を作動させる手順を示す斜視図である。
【図６】（ａ）乃至（ｄ）は不正取外し確認装置を作動させる手順を示す断面図である。
【図７】本発明の変形実施形態の説明図である。
【図８】本発明の第２の実施形態に係る不正取外し確認ボタンの構成を示す分解斜視図である。
【図９】（ａ）乃至（ｄ）は図８の不正取外し確認ボタンの着脱操作手順を示す断面図である。
【符号の説明】
【００２４】
１…基板保護ケース、１０、２０…ケース片、１０Ａ…外側面、１１、２１…支持部、１２…係合部、１３…被ガイド突起、２０…ケース片、２５…ヒンジ部、３０…カシメ締結部、３１…挿通穴、３２…カシメピン、３３…充填部材、１００…遊技機本体、１００ａ…遊技機本体背面、１００ｂ…穴、１１０…スライド支持部、１１１…ベース、１１２…突起、１１３…軸部、１２０…ガイド部材、１３０…不正取外し確認ボタン、１３１…ベース、１３１ａ…凹所、１３１ｂ…穴、１３２…ボタン片、１３５…ベース、１３６…ボタン片、１３７…ケーブル、１４０…治具
【図１】
2010104659.tif 000003
【図２】
2010104659.tif 000004
【図３】
2010104659.tif 000005
【図４】
2010104659.tif 000006
【図５】
2010104659.tif 000007
【図６】
2010104659.tif 000008
【図７】
2010104659.tif 000009
【図８】
2010104659.tif 000010
【図９】
2010104659.tif 000011